(57)【要約】【課題】  猫の用使用の箱体内から発生する臭気を効果的に消臭する簡便構造の猫トイレ用循環式消臭装置を提供する。【解決手段】  本考案の猫トイレ用循環式消臭装置３の猫４が出入して用便をする箱体１の上面に着脱可能に搭載される。この猫トイレ用循環式消臭装置３はアルカリ性の部材１５を臭気の通過方向に対して斜めに配置したフィルタ９からなり、臭気分子はこのフィルタによりアルカリ加水分解されて消臭される。【選択図】  図２
0003133359.tif 000002
【実用新案登録請求の範囲】
【請求項１】
猫が出入りして用便をする箱体の上面の臭気排出口に着脱可能に搭載されて箱体内の消臭を行う消臭装置であって、該装置は、前記臭気排出口を覆うケースと、該ケース内に配置される臭気吸引用ファンと、該ファンの下流側に配置され臭気分子をアルカリ加水分解して無臭化するフィルタと、フィルテイング処置された消臭分子を前記箱体内に戻す戻し口とを有するものからなることを特徴とする猫トイレ用循環式消臭装置。
【請求項２】
前記フイルタが、和紙とセメントとの混合体と炭とを押圧重合して乾燥したアルカリ性の部材を有するものからなることを特徴とする請求項１に記載の猫トイレ用循環式消臭装置。
【請求項３】
前記フィルタが、単数又は複数の前記アルカリ性の部材を臭気の流れ方向に対して斜めに配置したものからなることを特徴とする請求項１又は２に記載の猫トイレ用循環式消臭装置。
【請求項４】
前記フィルタが、前記ケース内に複数群配置されることを特徴とする請求項１に記載の猫トイレ用循環式消臭装置。
【考案の詳細な説明】
【技術分野】
【０００１】
本考案は、猫用のトイレ内に発生する臭気を効果的に消臭でき、構造簡単で耐久性を有する猫トイレ用循環式消臭装置に関する。
【背景技術】
【０００２】
図７に消臭装置付きの猫用トイレ１００Ａを示す。猫用トイレ１００Ａは、猫４が出入する出入口５Ａを有する箱体１Ａと、この箱体１Ａの上面に搭載される消臭装置の１つである消臭具３Ａとを有するものからなる。箱体１Ａは床面側に排便用床材２Ａを有するものであり、その上面には消臭具３Ａが搭載される臭気排出口６Ａが形成される。排便用床材２Ａとしては例えばベントナイトを含むパルプ状の砂が用いられる。また、消臭具３Ａとしては活性炭が使用され、この消臭具３Ａは臭気排出口６Ａに敷設されるものからなる。
【０００３】
以上の構造の猫用トイレ１００Ａでは図８に示すように排便用床材２Ａ側から昇る臭気分子を消臭具３Ａに接触及び通過せしめて消臭を行う自然循環式のものである。
また、猫用消臭装置としての公知技術としては例えば「特許文献１」や「特許文献２」が開示されている。
【特許文献１】特開平５−１７６６５０号（図１）
【特許文献２】実開平７−３４６５２号（図１）
【考案の開示】
【考案が解決しようとする課題】
【０００４】
図７及び図８に示した従来の猫用消臭装置は前記のように消臭具３Ａを用いるものからなり、消臭具３Ａは活性炭であり、一時的な効果はあるとしても長時間効果を発揮することができず、適宜のメンテナンスが必要である。また、自然循環式のため周辺に消臭された臭気（臭気は完全に除臭されない）がただよい、室内に臭気がこもる問題点がある。
【０００５】
また、「特許文献１」の「特開平５−１７６６５０号」の「動物糞尿の消臭方法」はトイレ用砂（３）の中にラジウム石粉を有効生成分とした円盤状セラミック体（１）を埋めたものであり、本考案のように消臭分子を消臭するものではない。
また、「特許文献２」の「実開平７−３４６５２号」の「犬猫用形態トイレ」には消臭剤（４）が本体の一隅に設けられているが、その内容が開示されていない。
また、公知資料として本考案のような構成のものは見当らない。
【０００６】
本考案は、以上の問題点を解決すべく考案されたものであり、消臭効果がよく、耐久性があり、メンテナンス性も少なく、比較的簡便安価に実施できる猫トイレ用循環式消臭装置を提供することを目的とする。
【課題を解決するための手段】
【０００７】
本考案は、以上の目的を達成するために、請求項１の考案は、猫が出入りして用便をする箱体の上面の臭気排出口に着脱可能に搭載されて箱体内の消臭を行う消臭装置であって、該装置は、前記臭気排出口を覆うケースと、該ケース内に配置される臭気吸引用ファンと、該ファンの下流側に配置され臭気分子をアルカリ加水分解して無臭化するフィルタと、フィルテイング処置された消臭分子を前記箱体内に戻す戻し口とを有するものからなることを特徴とする。
【０００８】
また、請求項２の考案は、前記フイルタが、和紙とセメントとの混合体と炭とを押圧重合して乾燥したアルカリ性の部材を有するものからなることを特徴とする。
【０００９】
また、請求項３の考案は、前記フィルタが、単数又は複数の前記アルカリ性の部材を臭気の流れ方向に対して斜めに配置したものからなることを特徴とする。
【００１０】
また、請求項４の考案は、前記フィルタが、前記ケース内に複数群配置されることを特徴とする。
【考案の効果】
【００１１】
本考案の請求項１の猫トイレ用循環式消臭装置によれば、箱体内で発生した臭気分子は箱体内を上昇臭気吸引用ファンによってフィルタ側に強制的に送られる。フィルタは臭気分子をアルカリ加水分解する機能を有するものからなり、臭気分子はアルコールに変化分解して蒸発する。この蒸発された消臭分子は外気側に放出されずにケースの戻し口から箱体側に戻される。戻された消臭分子は新しい臭気分子と共に上昇し、再びフィルタによって消臭される。この循環作用により臭気分子は大幅に消臭される。また、フィルタはほぼ永久的なものであり、長期間使用できると共に水をスプレーする事によりその機能が復帰される。よってメンテナンスがほぼ不要となる。また、全体構造としては簡便なもので、安価に実施することができる。
【００１２】
また、本考案の請求項２の猫トイレ用循環式消臭装置によれば、フィルタは和紙とセメントとの混合体と炭を押圧重合したアルカリ性の部材を有するものからなり、製作が容易であり、安価に実施することができる。
【００１３】
また、本考案の請求項３の猫トイレ用循環式消臭装置によれば、このフィルタは前記アルカリ性の部材を臭気の通過方向に対して斜めに配置したものからなり、臭気分子は必ず前記部材に当接して消臭作用を受ける。また、この部材を複数枚配置することにより消臭効果の向上が図れる。
【００１４】
また、本考案の請求項４の猫トイレ用循環式消臭装置によれば、前記フイルタをケース内に複数群配置することにより、より一層の消臭効果を上げることができる。
【考案を実施するための最良の形態】
【００１５】
以下、本考案の猫トイレ用循環式消臭装置の実施の形態を図面を参照して詳述する。
本考案の猫トイレ用循環式消臭装置３は図１及び図２に示すように猫用トイレの箱体１の上面に着脱可能に搭載されるものからなる。箱体１は猫４の出入する出入口５を有するものからなり、床面に排使用床材２を有し、上面に臭気排出口６（図２）を有するものからなる。本考案の猫トイレ用循環式消臭装置３は箱体１の臭気排出口６を覆って配置されるものからなる。なお、後に詳述するが図１及び図２に示すように箱体１内の臭気は猫トイレ用循環式消臭装置３側に吸引されて消臭された後、再び箱体１内に戻される循環式のものからなる。
【実施例１】
【００１６】
図３は本考案の猫トイレ用循環式消臭装置３の一実施例を示す模式的断面図である。猫トイレ用循環式消臭装置３は臭気排出口６を覆って箱体１の上面に搭載され、下方にのみ開口部を有するケース７と、ケース７内に配置される臭気吸引用ファン８と、フィルタ９等とからなる。なお、本実施例ではケース７は中仕切り板１０により画成され、その１つの室１１内に臭気吸引用ファン８とフィルタ９とが配置され、別の室１２の下方には箱体１内に連通する戻し口１３が開口形成される。なお、室１１と室１２とは中仕切り板１０の上部の隙間１４により連通される。以上の構造により、箱体１内の臭気分子は臭気吸引用ファン８により室１１内に吸引され、フィルタ９によって消臭され、隙間１４を通って室１２側に送られ、戻し口１３から箱体１内に戻入されて循環することになる。
【００１７】
次に、図４，図５によりフィルタ７の詳述構造を説明する。フィルタ９は図４に示すアルカリ性の部材１５を図５に示すように箱状部材１６内に配置したものからなる。アルカリ性の部材１５は図４に示すように和紙とコンクリートを混合した混合部材１５ａと炭１５ｂを押圧重合して乾燥したものからなる。なお、この詳細構造や製造方法についてはここでは説明を省略する。
図５に示すように、以上の構造のアルカリ性の部材１５は箱状部材１６内に多数個配置されるが、このアルカリ性の部材１５は箱状部材１６内に送られてくる臭気分子１７の通過方向に対して斜めに配置される。
【００１８】
図５に示すように、臭気分子１７は夫々のアルカリ性の部材１５に当接するが、この当接により臭気分子１７はアルカリ加水分解されアルコールに変化分解されて蒸発される。この作用により臭気分子１７は消臭分子１８となる。この消臭分子１８は前記のようにケース７の戻し口１３から箱体１側に戻されて循環し、再度の消臭作用を受けることになる。以上の循環作用により箱体１内の臭気は消臭される。本考案の猫トイレ用循環式消臭装置３の場合は、アルカリ性の部材１５は水洗いすることにより再生されるためほぼ永久的に使用され、耐久性の大幅な向上が図れる。
【実施例２】
【００１９】
図６は本考案の猫トイレ用循環式消臭装置の別の実施例を示すものである。この実施例の猫トイレ用循環式消臭装置３ａは、図３に示した猫トイレ用循環式消臭装置３の室１２内にフィルタ９を配置した二重構造のものからなる。なお、それ以外の構造は実施例１の猫トイレ用循環式消臭装置３と同一であり、重複説明を省略する。勿論、フィルタ９は二重構造に限定するものではなく、多重構造のものも適用される。
以上の構造により、室１１内のフィルタ９によって消臭された消臭分子１８は更に室１２内のフィルタ９により消臭されて戻し口１３から箱体１内に戻されることになる。以上により、より効果的な消臭が行われる。
【００２０】
本考案の猫トイレ用循環式消臭装置は以上の説明の構造からなるが、勿論、これ等のものに限定するものではなく、同一の技術的範疇のものが使用される。
【産業上の利用可能性】
【００２１】
本考案の猫トイレ用循環式消臭装置は、猫の消臭用として適用されるものであるが、同一の技術的思想のものは他の動物に対しても適用可能であり、その利用範囲は広い。
【図面の簡単な説明】
【００２２】
【図１】本考案の猫トイレ用循環式消臭装置を設けた猫用使用の箱体を示す斜視図。
【図２】図１のＡ−Ａ線断面図。
【図３】本考案の猫トイレ用循環式消臭装置の一実施例の内部構造を示す模式的断面図。
【図４】本考案の猫トイレ用循環式消臭装置に使用されているフィルタのアルカリ性の部材の構造を示す断面図。
【図５】本考案の猫トイレ用循環式消臭装置のフィルタの構造とそれによる消臭作用を示す模式的断面図。
【図６】本考案の猫トイレ用循環式消臭装置の別の実施例の内部構造を示す模式的断面図。
【図７】従来の消臭装置を有する猫用使用の箱体を示す斜視図。
【図８】図７のＢ−Ｂ線断面図。
【符号の説明】
【００２３】
１      箱体
２      排使用床材
３      猫トイレ用循環式消臭装置
３ａ    猫トイレ用循環式消臭装置
４      猫
５      出入口
６      臭気排出口
７      ケース
８      臭気吸引用ファン
９      フィルタ
１０    中仕切り板
１１    室
１２    室
１３    戻し口
１４    隙間
１５    アルカリ性の部材
１５ａ  混合部材
１５ｂ  炭
１６    箱状部材
１７    臭気分子
１８    消臭分子
【図１】
0003133359.tif 000003
【図２】
0003133359.tif 000004
【図３】
0003133359.tif 000005
【図４】
0003133359.tif 000006
【図５】
0003133359.tif 000007
【図６】
0003133359.tif 000008
【図７】
0003133359.tif 000009
【図８】
0003133359.tif 000010